(57)【要約】【課題】硬質塩化ビニル管の内外接合面領域（差込み長さ）を、工業規格表を所見したり、ノギスやマーキングゲージ等の測定具を用いることなく、適量の接着剤を無駄なく均一に塗布することができる接着剤塗布用回転ブラシの提供を図る。【解決手段】接着剤充填容器の密封キャップに直接取り付けられる接着剤塗布用回転ブラシであって、前記密封キャップには、容器内部側の中心から容器底部方向に向けて突設軸を設け、該突設軸の先端には、該突設軸に対して回転自在なロール状の回転ブラシを設け、該回転ブラシには、硬質塩化ビニル管の工業規格に対応した接着剤塗布領域を識別するための接着剤塗布領域識別表示が現されている手段を採る。【選択図】図1
0003171634.tif 000002
【実用新案登録請求の範囲】
【請求項１】
接着剤充填容器の密封キャップに直接取り付けられる接着剤塗布用回転ブラシであって、
前記密封キャップには、容器内部側の中心から容器底部方向に向けて突設軸を設け、
該突設軸の先端には、該突設軸に対して回転自在なロール状の回転ブラシを設け、
該回転ブラシには、硬質塩化ビニル管の工業規格に対応した接着剤塗布領域を識別するための接着剤塗布領域認識表示が現されていることを特徴とする接着剤塗布用回転ブラシ。
【請求項２】
前記接着剤塗布領域認識表示が、前記回転ブラシの先端から硬質塩化ビニル管の工業規格に対応した所定距離に表示される一以上のライン表示、文字表示、又はこれらの組み合わせによる手段を設けたことを特徴とする請求項１に記載の接着剤塗布用回転ブラシ。
【請求項３】
前記接着剤塗布領域認識表示が、前記回転ブラシの先端から硬質塩化ビニル管の工業規格に対応した所定距離の領域毎に複数色で色分けされる着色領域を設けたことを特徴とする請求項１に記載の接着剤塗布用回転ブラシ。
【請求項４】
前記接着剤塗布用回転ブラシにおいて、
前記回転ブラシを被覆するように前記突設軸に摺動可能に具設される円筒スライド管と、該円筒スライド管を前記回転ブラシに対して前記接着剤塗布領域認識表示に対応した位置に固定するための固定装置と、
から成る接着剤塗布領域ガイド機構を設けたことを特徴とする請求項１から請求項３のいずれかに記載の接着剤塗布用回転ブラシ。
【考案の詳細な説明】
【技術分野】
【０００１】
本考案は、硬質塩化ビニル管の内外接合面領域（差込み長さ）を、工業規格表を所見したり、ノギスやマーキングゲージ等の測定具を用いることなく、適量の接着剤を無駄なく均一に塗布することができる接着剤塗布用回転ブラシに関する。
【背景技術】
【０００２】
水道用の配管工事に使用される硬質塩化ビニル管、ＶＰ管（肉厚管）、ＶＵ管、ＨＩＶＰ管（肉薄管）ＨＴＶＰ（耐熱管）は、内面が平滑で摩擦抵抗が少ないため水理特性に優れ、腐食、電食の心配がなく弾性に富み、機械的強度に優れ、軽量で取り扱い易く、施工性が高く、さらに材料費、工事費、維持管理費、耐久性等のトータルコストが他の材料と比較して最も安価な工事配管部材として広く使用されている。
【０００３】
該硬質塩化ビニル管を使用した給排水設備工事において、職人の経験と勘に頼った接合作業によると、接着剤の塗布忘れや接着剤の塗布不良などを原因とする漏水事故を招くことがある。このような漏水事故が発生した場合、生産工場等では給排水設備の稼働停止に伴う生産ラインの停止などを余儀なくされる場合があり、一般家庭においても日常生活に大きな支障をきたすことになる。
【０００４】
前記の漏水事故等を事前に防止するため、従来からも種々の技術が提案されている。例えば、接合作業の能率化、施工の安全性ならびに確実性を目的とした「配管継ぎ手部材に対する差込長さのマーキング装置」（特許文献１参照）や、「管体や継手の接続方法、および管体接続用部材にマーキングゲージ」（特許文献２参照）である。
【０００５】
前記「配管継ぎ手部材に対する差込長さのマーキング装置」並びに「管体や継手の接続方法、および管体接続用部材にマーキングゲージ」の提案は、硬質塩化ビニル管の接合要領に沿って２本のマーキングラインを引くことによって差し込み寸法表示領域を表示し、その寸法表示領域内に接合される硬質塩化ビニル管の端面を位置させて、接着剤の塗布忘れや確実な差し込み状態を確認することを可能とするものである。このような接合作業において、マーキングゲージを使用し、２本のマーキングラインを引くという一連のケガキ作業は、安全性の面から必用不可欠であり、安全性を確保するという面において有用な技術であると思量される。しかしながら、係るマーキング作業は煩雑であり、作業時間もかかるため、作業者の労力軽減や作業時間短縮など、作業の効率化という側面においては課題を残すものである。
【０００６】
また、本体と蓋からなる容器において、該蓋から刷毛が突設して取り付けられており、垂直方向に対し刷毛の先端が屈曲して硬質塩化ビニル管の接合部を塗りやすくしている「容器」（特許文献３参照）も提案されている。
【０００７】
しかしながら、前記の「容器」の提案は、単に刷毛の先端が屈曲して硬質塩化ビニル管の内外接合面領域を塗りやすくしているものに過ぎず、接着剤の適量塗布、均一且つ無駄のない確実な塗布領域の設定、接着剤の塗布忘れを防止する機能などを備えているものではない。
【０００８】
また、先端部に塗布方向が杆体の軸に直角である塗布部が設けられた杆体と、先端部に押さえ方向が軸に直角である押さえ部が設けられたガイド杆とからなり、前記杆体の根本部と前記ガイド杆の根本部とが、塗布部の塗布方向と押さえ部の押さえ方向とが向かい合うように、回動可能に軸支された「接着剤塗布具」が提案されている（特許文献４参照）。
【０００９】
しかしながら、前記の「接着剤塗布具」の技術は、ガイド杆とキャップの取り付け構造が明確ではないものの、ガイド杆の構造が全体構造の中で大きな取り付けスペースを必要としていることから、使用時ならびに使用していない時の収納状態が不便であると共に、ガイド杆の先端部に取り付けられる押さえ部と塗布部を硬質塩化ビニル管の内外接合面部にセットするには作業性が著しく低下する問題があるものである。
【００１０】
本考案者は、以上のような従来のマーキングゲージや接着剤塗布具の問題を解決するために、水道用硬質塩化ビニル管のJIS規格（Ｋ6742）、並びに水道用硬質塩化ビニル管継手のJIS規格（Ｋ6743）によるところの、配管継手部材に対する接着剤塗布領域（差込み長さ）に着目し、簡単な構造で接着剤塗布領域（差込み長さ）を設定することができないものかとの着想の下、接着剤充填容器の密封キャップの容器内部側の中心から容器底部方向に向けて突設軸を設け、該突設軸の先端に該突設軸に対して回転自在なロール状の回転ブラシを設け、該回転ブラシに硬質塩化ビニル管の工業規格に対応した接着剤塗布領域を識別するための接着剤塗布領域認識表示が現されている回転ブラシを開発し、本考案における「接着剤塗布用回転ブラシ」の提案に至るものである。
【先行技術文献】
【特許文献】
【００１１】
【特許文献１】特開２００７-２５３２４２号公報
【特許文献２】特開２００９-２４３６１３号公報
【特許文献３】公開実用新案昭５７-１３１４４４号公報
【特許文献４】公開実用新案平３-１００１４７号公報
【考案の概要】
【考案が解決しようとする課題】
【００１２】
本考案は、前記問題点に鑑み、硬質塩化ビニル管の内外接合面領域（差込み長さ）を、工業規格表を所見したりノギスやマーキングゲージ等の測定具を用いることなく、適量の接着剤を無駄なく均一に塗布することができる接着剤塗布用回転ブラシの提供を図る。
【課題を解決するための手段】
【００１３】
本考案の接着剤塗布用回転ブラシは、接着剤充填容器の密封キャップに直接取り付けられる接着剤塗布用回転ブラシであって、前記密封キャップには、容器内部側の中心から容器底部方向に向けて突設軸を設け、該突設軸の先端には、該突設軸に対して回転自在なロール状の回転ブラシを設け、該回転ブラシには、硬質塩化ビニル管の工業規格に対応した接着剤塗布領域を識別するための接着剤塗布領域認識表示が現されている手段を採るものである。
【００１４】
また本考案の接着剤塗布用回転ブラシは、前記接着剤塗布領域認識表示が、前記回転ブラシの先端から硬質塩化ビニル管の工業規格に対応した所定距離に表示される一以上のラインH表示、文字表示、又はこれらの組み合わせによる手段を採るものである。
【００１５】
また本考案の接着剤塗布用回転ブラシは、前記接着剤塗布領域認識表示が、前記回転ブラシの先端から硬質塩化ビニル管の工業規格に対応した所定距離の領域毎に複数色で色分けされる着色領域を設けた手段を採るものである。
【００１６】
また本考案の接着剤塗布用回転ブラシは、前記接着剤塗布用回転ブラシにおいて、前記回転ブラシを被覆するように前記突設軸に摺動可能に具設される円筒スライド管と、該円筒スライド管を前記回転ブラシに対して前記接着剤塗布領域認識表示に対応した位置に固定するための固定装置と、から成る接着剤塗布領域ガイド機構を設けた手段を採るものである。
【考案の効果】
【００１７】
本考案の接着剤塗布用回転ブラシよれば、接着剤塗布領域を識別するための接着剤塗布領域認識表示が、ライン表示や文字表示や、色彩表示手段を採用しているため、接合作業中にJIS規格表を所見したり、ノギスやマーキングゲージ等の測定具を用いることなく、適量の接着剤を無駄なく均一に塗布することができる優れた効果を奏する。
【００１８】
また、本考案の接着剤塗布用回転ブラシよれば、接着剤塗布用回転ブラシに硬質塩化ビニル管のJIS規格に対応した接着剤塗布領域を識別するための簡単構造の接着剤塗布領域認識表示を設けることによって、製造コストの低廉化と接合作業の作業性の向上が図られ、さらに手塗り作業と比較して接着剤塗布領域の精度向上が図れる優れた効果を奏する。
【００１９】
また、本考案の接着剤塗布用回転ブラシよれば、構成部品が極めて少なく簡単・軽量構造であることから、収納性、携帯性を備える優れた効果を奏する。
【００２０】
また、本考案の接着剤塗布用回転ブラシよれば、円筒スライド管を回転ブラシに対して接着剤塗布領域認識表示に対応した位置に固定するための固定装置と、から成る接着剤塗布領域ガイド機構を設けたことによって、円筒スライド管の端面を硬質塩化ビニル管の挿入口の端面に当接することによって呼び寸法に対して適正な差し込み寸法領域が設定できる優れた効果を奏する。
【図面の簡単な説明】
【００２１】
【図１】本考案の請求項１記載の接着剤塗布用回転ブラシにおける実施形態を示す全体説明図である。（実施例１）
【図２】本考案の請求項１記載の接着剤塗布用回転ブラシにおける実施形態を示す断面説明図である。
【図３】本考案の請求項２記載の接着剤塗布用回転ブラシにおける実施形態を示す説明図である。（実施例２）
【図４】本考案の請求項３記載の接着剤塗布用回転ブラシにおける実施形態を示す説明図である。（実施例３）
【図５】本考案の請求項４記載の接着剤塗布用回転ブラシにおける実施形態を示す説明図である。（実施例４）
【考案を実施するための形態】
【００２２】
本考案の接着剤塗布用回転ブラシに硬質塩化ビニル管のJIS規格（Ｋ6742）に対応した接着剤塗布領域（差込み長さ）を識別するための接着剤塗布領域認識表示を接着剤塗布用回転ブラシの円周上表面に設けたことを最大の特徴とする。以下、実施例を図面に基づいて説明する。
【実施例１】
【００２３】
図１は、本本考案の請求項１記載の接着剤塗布用回転ブラシにおける実施形態を示す全体説明図である。図１（a）は全体の側面図を示し、図１（b）は拡散分解斜視図を示す。
本考案の接着剤塗布用回転ブラシ１は、接着剤充填容器１０の密封キャップ１１に直接取り付けられる接着剤塗布用の回転ブラシ１３であって、密封キャップ１１には、容器内部側の中心から容器底部方向に向けて突設軸１２を設け、該突設軸１２の先端には、突設軸１２に対して回転自在なロール状の回転ブラシ１３を設け、該回転ブラシ１３には、硬質塩化ビニル管の工業規格に対応した接着剤塗布領域Ｌを識別するための接着剤塗布領域認識表示１４が現されて形成されている。
【００２４】
接着剤充填容器１０は、接着剤が充填されるペール缶で上部にねじ込み式の開口口を備え、樹脂製の接着剤塗布用の回転ブラシ１３が連設された密封キャップ１１で密封されて構成されている。
【００２５】
密封キャップ１１は、ポリプロピレン樹脂やポリエチレン樹脂などのプラスチックを一体成型したねじ込み式のキャップで、使用目的に合わせて刷毛型、放射型、ロール型の塗布用ブラシが突設されて形成されている。
【００２６】
回転ブラシ１３は、密封キャップ１１に突設されて容器内部側の中心から容器底部方向に向けた突設軸１２の先端に回転自在なロール状に設けられるものである。材質は、耐薬品性のウレタンフォームやフェルト素材が使用される。またライン表示２０または文字表示２１または着色領域３０が表示される回転ブラシ１３は、接続される継ぎ手によって接着剤塗布領域Ｌが変わるため、同時表示されるか又は、接続される継ぎ手専用の回転ブラシ１３としての何れかの手段で提供されるものである。
【００２７】
接着剤塗布領域識別表示１４は、回転ブラシ１３の円周表面に設けられ、ライン表示２０または文字表示２１または着色領域３０によって表示される。
【００２８】
硬質塩化ビニル管Ｂは、水道用硬質塩化ビニル管のJIS規格（Ｋ6742）ならびに水道用硬質塩化ビニル管継手のJIS規格（Ｋ6743）を使用し、顔料は外観からの材質を区別するためＶＰ管（肉厚管）は灰色、ＨＩＶＰ管（肉薄管）は暗い灰青色をしている。
【００２９】
接着剤塗布領域（差込み長さ）Ｌは、硬質塩化ビニル管Ｂの呼び径に対して設定されており、呼び径でいう40から100が一般の生活水道用として広く用いられる。例えば、給水塩ビ管（HI・TS）の呼び径40A-50A-65A-75A-100Aｍｍに対して、差込み長さは55-63-61-64-84ｍｍに設定され、排水塩ビ管(DV)の呼び径30A-40A-50A-65A-75A-100A-125Aｍｍに対して、差込み長さは18-22-25-35-40-50-65ｍｍに設定されるものである。
【００３０】
接着剤Ｓは、例えば塩化ビニル樹脂系接着剤を使用し、成分的にはメチルエチルケトン、シクロヘキサロン、アセトン等が使われる。色は、透明色、青色、白色の三種類があり、使用される塩化ビニル管Ｂの種類によって使い分けられるものである。
【００３１】
図２は、本考案の請求項１記載の接着剤塗布用回転ブラシにおける実施形態を示す断面説明図である。図２（a）は接着剤塗布用回転ブラシ１が接着剤充填容器１０に装着されている状態の側断面図を示し、図２（b）は接着剤塗布用回転ブラシ１の側断面図を示す。
着剤塗布用回転ブラシ１は、接着剤充填容器１０の密封キャップ１１の中央から段違いの突設軸１２が突設され、該突設軸１２の先端に嵌合環１５を内接したロール状の回転ブラシ１３を設けて回転自在とし、係止ビス１６で螺着した構造で形成されている。
【実施例２】
【００３２】
図３は、本考案の請求項２記載の接着剤塗布用回転ブラシにおける実施形態を示す説明図である。図３（a）はライン表示２０が表示された接着剤塗布用回転ブラシ１の側面図を示す。
本考案の接着剤塗布用回転ブラシ１は、接着剤塗布領域認識表示１４が、回転ブラシ１３の先端から硬質塩化ビニル管の工業規格に対応した所定距離に表示される一以上のライン表示２０、文字表示２１、又はこれらの組み合わせによる手段を設けたものである。接着剤塗布領域（差込み長さ）Ｌは、硬質塩化ビニル管Ｂの呼び径２２に対して設定されており、例えば、給水塩ビ管（HI・TS）の呼び径13A-20A-25A-30A-40A-50Aｍｍに対して、差込み長さは26-35-40-44-55-63ｍｍに設定され、排水塩ビ管(DV)の呼び径30A-40A-50A-65A-75Aｍｍに対して、差込み長さは18-22-25-35-40ｍｍに設定されているものである。
【００３３】
ライン表示２０は、前記の硬質塩化ビニル管Ｂの呼び径２２毎に回転ブラシの円周上表面にライン状に表示されるもので、使用する硬質塩化ビニル管Ｂの呼び径２２に合わせて差込み長さを選択し、接着剤Ｓをそのライン表示長さまで含侵させて無駄なく均一に塗布するものである。
【００３４】
図３（b）は文字表示２１が表示された接着剤塗布用回転ブラシ１の側面図を示す。
文字表示２１は、前記の硬質塩化ビニル管Ｂの呼び径２２毎に回転ブラシの円周上表面に文字表示されるもので、使用する硬質塩化ビニル管Ｂの呼び径２２に合わせて差込み長さを選択し、接着剤Ｓをその文字表示位置まで含侵させて無駄なく均一に塗布するものである。
【００３５】
図３（c）は接着剤Ｓを硬質塩化ビニル管Ｂの外径に塗布する状態の説明図を示す。
硬質塩化ビニル管Ｂの外径に接着剤Ｓを差込み長さに含侵させ、ライン表示２０または文字表示２１された接着剤塗布用回転ブラシ１を当てがい硬質塩化ビニル管Ｂの外径を一周し、適量の接着剤Ｓを無駄なく均一に塗布するものである。
【００３６】
図３（d）は接着剤を硬質塩化ビニル管Ｂの内径に塗布する状態の説明図を示す。
硬質塩化ビニル管Ｂの内径に接着剤Ｓを差込み長さに含侵させ、ライン表示２０または文字表示２１された接着剤塗布用回転ブラシ１を当てがい硬質塩化ビニル管Ｂの内径を一周し、適量の接着剤Ｓを無駄なく均一に塗布するものである。
【実施例３】
【００３７】
図４は、本考案の請求項３記載の接着剤塗布用回転ブラシにおける実施形態を示す説明図である。図４（a）は着色領域３０が表示された接着剤塗布用回転ブラシ１の側面図を示す。接着剤塗布領域認識表示１４が、回転ブラシ１３の先端から硬質塩化ビニル管のJIS規格に対応した所定距離の領域毎に複数色で色分けされる着色領域３０を設けたものである。
【００３８】
着色領域３０は、例えば、給水塩ビ管（HI・TS）の呼び径13A-20A-25A-30A-40A-50Aｍｍに対しては、差込み長さは26-35-40-44-55-63ｍｍの着色領域３０（例えば赤色Ｆ、緑色Ｇ、黄色Ｙ、紫色Ｐ、桃色Ｍ）が施され、排水塩ビ管(DV)の呼び径30A-40A-50A-65A-75Aｍｍに対しては、差込み長さは18-22-25-35-40ｍｍの着色領域３０（例えば赤色Ｆ、緑色Ｇ、黄色Ｙ、紫色Ｐ、桃色Ｍ）が施されるものである。
【００３９】
図４（b）は接着剤Ｓを硬質塩化ビニル管Ｂの外径に塗布する状態の断面図を示す。
硬質塩化ビニル管Ｂの外径に接着剤Ｓを差込み長さに含侵させ、着色領域３０が表示された接着剤塗布用回転ブラシ１を当てがい硬質塩化ビニル管Ｂの外径を一周し、適量の接着剤Ｓを無駄なく均一に塗布するものである。
【００４０】
図４（c）は接着剤を硬質塩化ビニル管Ｂの内径に塗布する状態の断面図を示す。
硬質塩化ビニル管Ｂの内径に接着剤Ｓを差込み長さに含侵させ、着色領域３０が表示された接着剤塗布用回転ブラシ１を当てがい硬質塩化ビニル管Ｂの内径を一周し、適量の接着剤Ｓを無駄なく均一に塗布するものである。
【実施例４】
【００４１】
図５は、本考案の請求項４記載の接着剤塗布用回転ブラシにおける実施形態を示す説明図である。図５（a）は全体の側断面図を示す。
接着剤塗布用回転ブラシ1において、回転ブラシ１３を被覆するように突設軸１２に摺動可能に具設される円筒スライド管４１と、該円筒スライド管４１を回転ブラシ１３に対して接着剤塗布領域認識表示１４に対応した位置に固定するための固定装置４２と、から成る接着剤塗布領域ガイド機構４０を設けたものである。
【００４２】
接着剤塗布領域ガイド機構４０は、円筒スライド管４１と固定装置４２とで構成されて、接着剤塗布領域Ｌ（差込み長さ）を決定するものである。
【００４３】
円筒スライド管４１は、密封キャップ１１の中央から突設される段違いの突設軸１２に嵌合によってスライド可能に設けられるものである。
【００４４】
固定装置４２は、円筒スライド管４１が突設軸１２上をスライドするに当たって任意の箇所で固定するもので、ラチェットストッパや板ばねやコイルスプリングなどの付勢手段によって係止されるものである。尚、ラチェットストッパが設けられる場合、接着剤塗布領域認識表示１４の位置とラチェットストッパ位置決め溝１４aは同スパンで設けられるものである。
【００４５】
図５（b）は接着剤Ｓを硬質塩化ビニル管Ｂの外径に塗布する状態の説明図を示す。
硬質塩化ビニル管Ｂの外径に接着剤Ｓを差込み長さに含侵させた接着剤塗布用回転ブラシ１を当てがい、硬質塩化ビニル管Ｂの端部と円筒スライド管４１の端部を突き当てた状態で硬質塩化ビニル管Ｂの外径を一周し、適量の接着剤Ｓを無駄なく均一に塗布するものである。
【００４６】
図５（c）は接着剤を硬質塩化ビニル管Ｂの内径に塗布する状態の説明図を示す。
硬質塩化ビニル管Ｂの内径に接着剤Ｓを差込み長さに含侵させた接着剤塗布用回転ブラシを当てがい、硬質塩化ビニル管Ｂの端部と円筒スライド管４１の端部を突き当てた状態で硬質塩化ビニル管Ｂの内径を一周し、適量の接着剤Ｓを無駄なく均一に塗布するものである。
【産業上の利用可能性】
【００４７】
本考案の接着剤塗布用回転ブラシは、塗料の塗布用刷毛としてや、マスカラ、マニキュア等の化粧品の塗布ブラシとしても使用できることから、本考案における接着剤塗布用回転ブラシの産業上の利用可能性は大とするものと解する。
【符号の説明】
【００４８】
１  接着剤塗布用回転ブラシ
１０  接着剤充填容器
１１  密封キャップ
１２  突設軸  
１３  回転ブラシ
１４  接着剤塗布領域識別表示
１５  嵌合環
１６  係止ビス
１７  ラチェットストッパ位置決め溝
２０  ライン表示
２１  文字表示
２２  呼び径
３０  着色領域
４０  接着剤塗布領域ガイド機構
４１  円筒スライド管
４２  固定装置
Ｓ    接着剤
Ｌ    接着剤塗布領域
Ｂ    硬質塩化ビニル管
Ｒ    赤色
Ｇ    緑色
Ｙ    黄色
Ｐ    紫色
Ｍ    桃色
【図１】
0003171634.tif 000003
【図２】
0003171634.tif 000004
【図３】
0003171634.tif 000005
【図４】
0003171634.tif 000006
【図５】
0003171634.tif 000007